(57)【要約】【課題】利得プロファイルの変動を抑止することが可能な波長多重伝送装置を提供する。【解決手段】伝送路の伝送波長帯を複数の波長帯（例えば、波長帯１、波長帯２）に分割し、該分割した分割波長帯（波長帯１、波長帯２）を伝送単位として信号光を伝送する波長多重伝送装置であり、各分割波長帯（波長帯１、波長帯２）に、ダミー光を出力する光源手段（１０６、２０６）を配置し、分割波長帯（波長帯１）の信号光と、ダミー光と、を合波した後の合波光のパワーが一定となるように、光源手段（１０６）から出力するダミー光の出力パワーを制御する。【選択図】図１
2008306677.tif 000002
【特許請求の範囲】
【請求項１】
伝送路の伝送波長帯を複数の波長帯に分割し、該分割した分割波長帯を伝送単位として信号光を伝送する波長多重伝送装置であって、
各分割波長帯に、ダミー光を出力する光源手段を配置し、分割波長帯の信号光と、前記ダミー光と、を合波した後の合波光のパワーが一定となるように、前記光源手段から出力するダミー光の出力パワーを制御することを特徴とする波長多重伝送装置。
【請求項２】
伝送路の伝送波長帯を複数の波長帯に分割し、該分割した分割波長帯を伝送単位として信号光を伝送する波長多重伝送装置であって、
前記分割波長帯には、
ダミー光を出力する光源手段と、
前記分割波長帯の信号光と、前記ダミー光と、を合波した後の合波光のパワーを監視し、該監視した合波光のパワーが一定となるように前記光源手段から出力するダミー光のパワーを制御する制御手段と、
を有することを特徴とする波長多重伝送装置。
【請求項３】
各分割波長帯の前記合波光を合波し、該合波した光を出力する光合波手段を有することを特徴とする請求項１または２記載の波長多重伝送装置。
【請求項４】
前記合波光を２つの光に分岐し、一方の光を、前記制御手段に出力し、他方の光を、前記光合波手段に出力する光合波分岐手段を有することを特徴とする請求項２または３記載の波長多重伝送装置。
【請求項５】
前記光源手段は、
前記分割波長帯の信号光の波長グリッドに載った単一の無変調レーザ光をダミー光として出力することを特徴とする請求項１から４の何れか１項に記載の波長多重伝送装置。
【請求項６】
前記分割波長帯は、複数の信号光を多重した多重信号光を出力し、
前記制御手段は、
前記分割波長帯の多重信号光と、前記ダミー光と、を合波した後の合波光のパワーを監視し、該監視した合波光のパワーが一定となるように前記光源手段から出力するダミー光のパワーを制御することを特徴とする請求項２から５の何れか１項に記載の波長多重伝送装置。
【請求項７】
前記分割波長帯に、前記ダミー光と同一波長の信号光を増設する場合に、前記ダミー光を停止するように制御することを特徴とする請求項１から６の何れか１項に記載の波長多重伝送装置。
【請求項８】
前記分割波長帯に、前記ダミー光と同一波長の信号光を増設する場合に、当該増設する信号光のパワーを段階的に増加するように制御することを特徴とする請求項１から６の何れか１項に記載の波長多重伝送装置。
【請求項９】
前記分割波長帯に、前記ダミー光と同一波長の信号光を増設する場合に、前記ダミー光を停止せずに、当該増設する信号光のパワーを段階的に増加するように制御し、当該増設する信号光のパワーが規定値に到達した場合に、前記ダミー光を停止することを特徴とする請求項１から６の何れか１項に記載の波長多重伝送装置。
【請求項１０】
伝送路の伝送波長帯を複数の波長帯に分割し、該分割した分割波長帯を伝送単位として信号光を伝送する波長多重伝送装置の制御方法であって、
各分割波長帯に、ダミー光を出力する光源手段を配置し、分割波長帯の信号光と、前記ダミー光と、を合波した後の合波光のパワーが一定となるように、前記光源手段から出力するダミー光の出力パワーを制御することを特徴とする制御方法。
【請求項１１】
伝送路の伝送波長帯を複数の波長帯に分割し、該分割した分割波長帯を伝送単位として信号光を伝送する波長多重伝送装置の制御方法であって、
前記分割波長帯には、ダミー光を出力する光源手段を有し、
前記分割波長帯の信号光と、前記ダミー光と、を合波した後の合波光のパワーを監視し、該監視した合波光のパワーが一定となるように前記光源手段から出力するダミー光のパワーを制御することを特徴とする制御方法。
【請求項１２】
各分割波長帯の前記合波光を合波し、該合波した光を出力する光合波工程を有することを特徴とする請求項１０または１１記載の制御方法。
【請求項１３】
伝送路の伝送波長帯を複数の波長帯に分割し、該分割した分割波長帯を伝送単位として信号光を伝送する波長多重伝送装置において実行させる制御プログラムであって、
各分割波長帯に、ダミー光を出力する光源手段を配置し、分割波長帯の信号光と、前記ダミー光と、を合波した後の合波光のパワーが一定となるように、前記光源手段から出力するダミー光の出力パワーを制御する処理を、前記波長多重伝送装置に実行させることを特徴とする制御プログラム。
【請求項１４】
伝送路の伝送波長帯を複数の波長帯に分割し、該分割した分割波長帯を伝送単位として信号光を伝送する波長多重伝送装置において実行させる制御プログラムであって、
前記分割波長帯には、ダミー光を出力する光源手段を有し、
前記分割波長帯の信号光と、前記ダミー光と、を合波した後の合波光のパワーを監視し、該監視した合波光のパワーが一定となるように前記光源手段から出力するダミー光のパワーを制御する処理を、前記波長多重伝送装置に実行させることを特徴とする制御プログラム。
【請求項１５】
各分割波長帯の前記合波光を合波し、該合波した光を出力する光合波処理を、前記波長多重伝送装置に実行させることを特徴とする請求項１３または１４記載の制御プログラム。
【発明の詳細な説明】
【技術分野】
【０００１】
本発明は、波長多重伝送装置に関し、特に、波長を増設することが可能な波長多重伝送装置、その波長多重伝送装置における制御方法及び制御プログラムに関するものである。
【背景技術】
【０００２】
大容量の情報伝送を可能とする波長多重伝送装置は、広い波長帯域を利用し、波長数も大規模に増設することが可能となるように設計されている。以下、図８を参照しながら、本発明と関連する波長多重伝送装置について説明する。なお、図８は、本発明と関連する波長多重伝送装置の構成を示す図である。
【０００３】
波長帯１'の光送信器（１１'〜１ｎ'：ｎは、任意の整数）は、それぞれ異なる波長（λ１１'〜λ１ｎ'）の信号光を光合波器（１０１'）に出力する。
【０００４】
光合波器（１０１'）は、光送信器（１１'〜１ｎ'）の各々から出力された信号光（λ１１'〜λ１ｎ'）を合波し、その合波した信号光を光増幅器（１０２'）に出力する。
【０００５】
光増幅器（１０２'）は、光合波器（１０１'）から出力された信号光を増幅し、その増幅した信号光を光合波器（３０１'）に出力する。
【０００６】
なお、波長帯２'の構成は、上述した波長帯１'と同様に構成し、波長帯２'で使用する波長が波長帯１'で使用する波長と異なるだけとなる。
【０００７】
ダミー光源（１２６'、２２６'）は、それぞれ異なる波長のダミー光を光合波器（４０１'）に出力し、光合波器（４０１'）は、ダミー光源（１２６'、２２６'）から出力されたダミー光を合波し、その合波したダミー光を光増幅器（４０２'）に出力する。
【０００８】
光増幅器（４０２'）は、光合波器（４０１'）から出力されたダミー光を増幅し、その増幅したダミー光を光合波器（３０１'）に出力する。
【０００９】
光合波器（３０１'）は、波長（λ１１'〜λ１ｎ'）の信号光を波長多重した分割波長帯１'の信号光と、波長（λ２１'〜λ２ｎ'）の信号光を波長多重した分割波長帯２'の信号光と、ダミー光を波長多重したダミー光と、を合波し、その合波した光を光分岐器（３０２'）に出力する。
【００１０】
光分岐器（３０２'）は、光合波器（３０１'）から出力された光を２つに分岐し、一方の光を、装置出力用の光として伝送路に出力する。
【００１１】
また、光分岐器（３０２'）は、もう一方の光を、信号光及びダミー光のモニタ用の光としてスペクトラムモニタ（３０３'）に出力する。
【００１２】
スペクトラムモニタ（３０３'）は、信号光と、ダミー光と、のスペクトラム成分から信号光の有無を検出し、信号光と、ダミー光と、のパワーを測定する。そして、スペクトラムモニタ（３０３'）は、その測定した信号光とダミー光とのパワーを、電気信号に変換し、該変換した電気信号を制御回路（３０４'）に出力する。
【００１３】
制御回路（３０４'）は、スペクトラムモニタ（３０３'）から出力される情報を基に、ダミー光の目標パワーを算出する。そして、制御回路（３０４'）は、上記算出した算出結果を、光増幅器（４０２'）にフィードバックし、光増幅器（４０２'）から出力されるダミー光のパワーが目標パワーとなるように調整する。
【００１４】
なお、ダミー光のパワー調整方法としては、例えば、特許文献１に開示されている。
【００１５】
上記ダミー光のパワー調整方法は、スペクトラム成分をモニタし、信号光とダミー光とのパワーを測定することになる。
【００１６】
しかしながら、スペクトラム成分をモニタし、信号光とダミー光とのパワーを測定するためには、周波数（波長）をスイープさせ、信号パワーを狭帯域に分解して測定することになる。このため、全波長帯をスイープするには秒単位の測定時間を要してしまうことになる。
【００１７】
また、近年では、波長間隔５０ＧＨｚ以下のＤＷＤＭ（Dense Wavelength Division Multiplexing）伝送も必要となっており、上述したダミー光のパワー調整方法では、分解能の限界が問題となり、正確なパワー測定を行うことができないことになる。
【００１８】
なお、上述した図８に示すスペクトラムモニタ（３０３'）を、図９に示すように、受光素子（３０５'）に置き換えた場合には、信号光とダミー光とのトータルパワーを受光することになり、上述した測定時間の問題点やパワー測定の問題点を解決することは可能となる。
【００１９】
なお、図９に示すように、スペクトラムモニタ（３０３）を受光素子（３０５'）に置き換えた場合のダミー光に対するパワー調整方法は、例えば、特許文献２に開示されている。
【００２０】
上記ダミー光のパワー調整方法は、信号光とダミー光との全ての光を合波した後に、その合波した光のパワーを測定し、その測定したパワーを用いて、全てのダミー光のパワーを調整することになる。
【００２１】
このため、上記のパワー調整方法では、信号光の波長帯を増設する際に、その波長帯に配置したダミー光のパワーを全て調整してしまうことになる。
【００２２】
なお、上記のパワー調整方法は、信号光とダミー光との全ての光を合波した光のトータルパワーを、一定に制御することは可能となる。
【００２３】
しかしながら、上記のパワー調整方法は、信号光とダミー光との全ての光を合波した光のトータルパワーを調整しているため、全てのダミー光が一律に調整されてしまうことになる。
【００２４】
例えば、短波長側の波長帯から信号光を増設した場合には、長波長側のダミー光のパワーも変動してしまうことになるため、パワーが均等配分されず、伝送路側に多段接続されている光増幅器（アンプ）の利得プロファイルが変動しまうことになる。
【００２５】
この場合、中心の波長帯から均等に信号光を増設する手段が有効となるが、波長帯を分割して波長多重する装置構成では、短波長側の波長帯と、長波長側の波長帯と、に対して信号光を同時に増設する必要があり、コストメリットが失われることになる。
【００２６】
なお、本発明より先に出願された技術文献として、設計波長数より少ない信号波長数でも良好な伝送特性を実現し、インサービスのアップグレードを容易にする技術について開示された文献がある（例えば、特許文献３参照）。
【００２７】
また、新たな信号光を増設する場合に、既存の信号光に対する伝送特性に影響しないように、新たな信号光の光パワー増加させつつ、全部のＡＳＥダミー光又は新たな信号光を増設するサブバンドに隣接するＡＳＥダミー光の光パワーを調節し、インサービスのアップグレードを実現する技術について開示された文献がある（例えば、特許文献４参照）。
【００２８】
また、波長多重手段に波長多重信号を分岐出力する手段を設け、且つ帯域多重手段の直前に光スイッチを設置することで、単一の波長帯だけでの初期のサービス開始時には、他の波長帯用の帯域分散補償手段の実装を不要とし、初期設備コストを抑制することが可能な技術について開示された文献がある（例えば、特許文献５参照）。
【特許文献１】特開２００２−１９８９１２号公報
【特許文献２】特開２００２−３５３９３９号公報
【特許文献３】特開２００５−５１５９６号公報
【特許文献４】特開２００５−５１５９８号公報
【特許文献５】特開２００６−１４０５５号公報
【発明の開示】
【発明が解決しようとする課題】
【００２９】
なお、上記特許文献３、４では、ダミー光にＡＳＥ光を用いており、ＡＳＥ光をダミー光として配置した場合には、スペクトル成分をフィルタ等で切り出して細くするには限界がある。また、ＡＳＥ光は、信号光と同等のスペクトル成分を持つＣＷ（Continuous Wave）光と比較して低いピークパワーで同等のトータルパワーを出力できるメリットはあるが、複数の信号光の波長とかぶってしまう欠点がある。
【００３０】
従って、信号光増設の最初から、または、信号光の波長とかぶってしまう時点で、その分割波長帯のＡＳＥ光を停止しなければならない。この場合、分割波長帯の信号光を全て増設する場合には、トータルパワーを保つことは可能であるが、分割波長帯の信号光を全て増設しない場合には、他のダミー光のパワーを調整する必要がある。しかし、他のダミー光のパワーを調整すると、上述した利得プロファイルの問題が生じることになる。
【００３１】
また、上記特許文献５には、波長増設可能な波長多重伝送装置に関する技術が開示されているが、伝送路の伝送波長帯を複数の波長帯に分割した分割波長帯に、ダミー光を出力する光源を配置し、分割波長帯の信号光と、ダミー光と、を合波した後の合波光のパワーが一定となるように、ダミー光のパワーを制御する点については何ら記載もその必要性についても示唆されていない。
【００３２】
本発明は、上記事情に鑑みてなされたものであり、上述した課題である、利得プロファイルの変動を抑止することが可能な波長多重伝送装置、制御方法及び制御プログラムを提供することを目的とするものである。
【課題を解決するための手段】
【００３３】
かかる目的を達成するために、本発明は、以下の特徴を有することとする。
【００３４】
＜波長多重伝送装置＞
本発明にかかる波長多重伝送装置は、
伝送路の伝送波長帯を複数の波長帯に分割し、該分割した分割波長帯を伝送単位として信号光を伝送する波長多重伝送装置であって、
各分割波長帯に、ダミー光を出力する光源手段を配置し、分割波長帯の信号光と、前記ダミー光と、を合波した後の合波光のパワーが一定となるように、前記光源手段から出力するダミー光の出力パワーを制御することを特徴とする。
【００３５】
また、本発明にかかる波長多重伝送装置は、
伝送路の伝送波長帯を複数の波長帯に分割し、該分割した分割波長帯を伝送単位として信号光を伝送する波長多重伝送装置であって、
前記分割波長帯には、
ダミー光を出力する光源手段と、
前記分割波長帯の信号光と、前記ダミー光と、を合波した後の合波光のパワーを監視し、該監視した合波光のパワーが一定となるように前記光源手段から出力するダミー光のパワーを制御する制御手段と、
を有することを特徴とする。
【００３６】
＜制御方法＞
また、本発明にかかる制御方法は、
伝送路の伝送波長帯を複数の波長帯に分割し、該分割した分割波長帯を伝送単位として信号光を伝送する波長多重伝送装置の制御方法であって、
各分割波長帯に、ダミー光を出力する光源手段を配置し、分割波長帯の信号光と、前記ダミー光と、を合波した後の合波光のパワーが一定となるように、前記光源手段から出力するダミー光の出力パワーを制御することを特徴とする。
【００３７】
また、本発明にかかる制御方法は、
伝送路の伝送波長帯を複数の波長帯に分割し、該分割した分割波長帯を伝送単位として信号光を伝送する波長多重伝送装置の制御方法であって、
前記分割波長帯には、ダミー光を出力する光源手段を有し、
前記分割波長帯の信号光と、前記ダミー光と、を合波した後の合波光のパワーを監視し、該監視した合波光のパワーが一定となるように前記光源手段から出力するダミー光のパワーを制御することを特徴とする。
【００３８】
＜制御プログラム＞
また、本発明にかかる制御プログラムは、
伝送路の伝送波長帯を複数の波長帯に分割し、該分割した分割波長帯を伝送単位として信号光を伝送する波長多重伝送装置において実行させる制御プログラムであって、
各分割波長帯に、ダミー光を出力する光源手段を配置し、分割波長帯の信号光と、前記ダミー光と、を合波した後の合波光のパワーが一定となるように、前記光源手段から出力するダミー光の出力パワーを制御する処理を、前記波長多重伝送装置に実行させることを特徴とする。
【００３９】
また、本発明にかかる制御プログラムは、
伝送路の伝送波長帯を複数の波長帯に分割し、該分割した分割波長帯を伝送単位として信号光を伝送する波長多重伝送装置において実行させる制御プログラムであって、
前記分割波長帯には、ダミー光を出力する光源手段を有し、
前記分割波長帯の信号光と、前記ダミー光と、を合波した後の合波光のパワーを監視し、該監視した合波光のパワーが一定となるように前記光源手段から出力するダミー光のパワーを制御する処理を、前記波長多重伝送装置に実行させることを特徴とする。
【発明の効果】
【００４０】
本発明によれば、利得プロファイルの変動を抑止することが可能となる。
【発明を実施するための最良の形態】
【００４１】
まず、図１を参照しながら、本実施例の波長多重伝送装置の概要について説明する。
【００４２】
本実施例の波長多重伝送装置は、伝送路の伝送波長帯を複数の波長帯（例えば、波長帯１、波長帯２）に分割し、該分割した分割波長帯（波長帯１、波長帯２）を伝送単位として信号光を伝送する波長多重伝送装置である。
【００４３】
そして、各分割波長帯（波長帯１、波長帯２）に、ダミー光を出力する光源手段（ダミー光源：１０６、２０６に相当）を配置し、例えば、分割波長帯（波長帯１）の信号光と、ダミー光と、を合波した後の合波光のパワーが一定となるように、光源手段（１０６）から出力するダミー光の出力パワーを制御することになる。なお、波長帯２も波長帯１と同様な制御を行うことになる。
【００４４】
これにより、波長増設時に、光源手段（１０６、２０６）から出力するダミー光の出力パワーの調整を容易に行うことが可能となる。このため、各分割波長帯（波長帯１、波長帯２）のトータルパワーの出力変動を抑止することが可能となり、結果的に、全波長帯のトータルパワーの出力変動を抑止することが可能となる。
【００４５】
また、分割波長帯（波長帯１、波長帯２）毎に、光源手段（１０６、２０６）から出力するダミー光のパワー調整を行うことが可能となるため、全波長帯でのパワーが均等配分され、利得プロファイルの変動を抑止することが可能となる。その結果、どの波長帯からでも波長増設を行うことが可能となる。以下、添付図面を参照しながら、本実施例の波長多重伝送装置について詳細に説明する。
【００４６】
＜波長多重伝送装置の構成＞
まず、図１を参照しながら、本実施例の波長多重伝送装置の構成について説明する。なお、図１は、一実施例としての波長多重伝送装置の構成を示す。
【００４７】
本実施例の波長多重伝送装置は、波長帯１の光を構成する部分（１００）と、波長帯２の光を構成する部分（２００）と、波長帯１の光と波長帯２の光とを合波する光合波器（３０１）と、を有して構成している。光合波器（３０１）は、波長帯１の光と、波長帯２の光と、を合波し、その合波した光を装置出力用の光として伝送路に出力することになる。
【００４８】
このように、本実施例の波長多重伝送装置は、信号光を伝送する全波長帯を複数の波長帯（波長帯１、波長帯２）に分割している。全波長帯を分割して波長多重する目的は、初期コストの低減や分割波長帯の分散補償を一括できる点で有効となる。
【００４９】
なお、波長帯１の光を構成する部分（１００）は、複数の光送信器（１１〜１１ｎ）と、光合波器（１０１）と、光増幅器（１０２）と、光合波・分岐器（１０３）と、受光素子（１０４）と、制御回路（１０５）と、ダミー光源（１０６）と、を有して構成している。
【００５０】
光送信器（１１〜１ｎ）は、それぞれ異なる波長（λ１１〜λ１ｎ）の信号光を光合波器（１０１）に出力する。
【００５１】
光合波器（１０１）は、光送信器（１１〜１ｎ）の各々から出力された信号光（λ１１〜λ１ｎ）を合波し、その合波した信号光を光増幅器（１０２）に出力する。
【００５２】
光増幅器（１０２）は、光合波器（１０１）から出力された信号光を増幅し、その増幅した信号光を光合波・分岐器（１０３）に出力する。なお、本実施例の光増幅器（１０２）は、信号光の波長数によって利得が変化しないものとする。
【００５３】
ダミー光源（１０６）は、光送信器（１１〜１ｎ）の信号光の波長グリッドに載った単一のＣＷ光（無変調レーザ光）をダミー光として出力する。
【００５４】
光合波・分岐器（１０３）は、光増幅器（１０２）から出力される波長帯１の波長多重信号光と、ダミー光源（１０６）から出力されるダミー光と、を合波し、その合波した合波光を２つに分岐する。そして、光合波・分岐器（１０３）は、一方の光を、光合波器（３０１）に出力する。
【００５５】
また、光合波・分岐器（１０３）は、もう一方の光を、受光素子（１０４）に出力する。なお、受光素子（１０４）に出力する光は、信号光及びダミー光のパワーをモニタするために利用する。
【００５６】
受光素子（１０４）は、光合波・分岐器（１０３）から出力される光を電気信号に変換し、その電気信号を制御回路（１０５）に出力する。
【００５７】
制御回路（１０５）は、受光素子（１０４）から出力される電気信号を基に、ダミー光源（１０６）のフィードバック制御を行い、受光素子（１０４）から出力される電気信号の電流レベルが常に一定となるように、ダミー光源（１０６）から出力するダミー光の出力パワーを制御する。
【００５８】
これにより、制御回路（１０５）は、受光素子（１０４）から出力される電気信号を基に、波長帯１の波長多重信号光と、ダミー光源（１０６）のダミー光と、を合波した後の合波光のパワーを監視し、該監視した合波光のパワーが一定となるように、ダミー光源（１０６）から出力するダミー光のパワーを制御することが可能となる。
【００５９】
このように、本実施例の波長多重伝送装置は、分割波長帯（波長帯１）に、信号光を出力する複数の光送信器（１１〜１ｎ）と、その信号光の波長グリッドに載った単一のＣＷ光（無変調レーザ光）を出力するダミー光源（１０６）と、を配置する。そして、ダミー光源（１０６）は、分割波長帯（波長帯１）に光送信器（１１〜１ｎ）が１台も増設されていない状態時は、その分割波長帯（波長帯１）に光送信器（１１〜１ｎ）が全て増設された状態時の信号光のトータルパワーに等しいパワーのダミー光を出力する。そして、その分割波長帯（波長帯１）に光送信器（１１〜１ｎ）が増設される毎に、ダミー光源（１０６）から出力するダミー光の出力パワーを低減し、分割波長帯（波長帯１）から出力されるトータルパワーが一定となるように制御する。
【００６０】
なお、波長帯２の光を構成する部分（２００）は、波長帯１の光を構成する部分（１００）と同様に構成し、波長帯２で使用する波長が波長帯１で使用する波長と異なるだけとなる。なお、波長帯２も上述した波長帯１と同様な制御を行うことになる。
【００６１】
＜制御回路：１０５の構成＞
次に、図２を参照しながら、本実施例の制御回路（１０５）の構成について説明する。なお、図２は、本実施例の制御回路（１０５）の構成を示す。
【００６２】
本実施例の制御回路（１０５）は、メモリ（１３６）と、パワー換算回路（１４６）と、を有して構成している。
【００６３】
メモリ（１３６）は、波長帯１のトータルパワーに対応するデータを格納するものである。
【００６４】
パワー換算回路（１４６）は、受光素子（１０４）から出力される電気信号を基に、波長帯１の波長多重信号光と、ダミー光と、を合波した後の合波光のパワーを測定するものである。
【００６５】
そして、パワー換算回路（１４６）は、上記測定した合波光のパワーを基に、受光素子（１０４）から出力される電気信号の電流レベルが常に一定となるように、メモリ（１３６）に格納されている情報を基に、ダミー光源（１０６）から出力するダミー光のパワーを制御するための制御信号をダミー光源（１０６）に出力することになる。
【００６６】
なお、波長帯１に光送信器（１１〜１ｎ）が１台も増設されていない初期状態時に、ダミー光源（１０６）から出力するダミー光の出力パワーを把握するためには、受光素子（１０４）から出力される電気信号を基に測定したダミー光のパワーに対し、光合波・分岐器（１０３）の挿入損失分のパワーを加算する。
【００６７】
これにより、初期状態時に、ダミー光源（１０６）から出力するダミー光の出力パワーを把握することが可能となる。なお、初期状態時のダミー光の出力パワーは、メモリ（１３６）に格納し、波長帯１に光送信器（１１〜１ｎ）を増設する際に、光増幅器（１０２）から出力する信号光の出力パワーの目標レベルとして参照することになる。
【００６８】
＜ダミー光源：１０６の構成＞
次に、図３を参照しながら、本実施例のダミー光源（１０６）の構成について説明する。なお、図３は、本実施例のダミー光源（１０６）の構成を示す。
【００６９】
本実施例のダミー光源（１０６）は、ＬＤ（１１６）と、出力調整器（１２６）と、を有して構成している。
【００７０】
ＬＤ（１１６）は、波長（λ１１〜λ１ｎ）の何れかのＣＷ光（無変調レーザ光）をダミー光として出力するものである。
【００７１】
出力調整器（１２６）は、ＬＤ（１１６）の出力パワーを調整するものである。なお、出力調整器（１２６）は、制御回路（１０５）から出力される制御信号に応じてＬＤ（１１６）から出力するダミー光の出力パワーを調整することになる。なお、本実施例の出力調整器（１２６）は、光増幅器や光可変減衰器に相当する。
【００７２】
なお、本実施例のダミー光源（２０６）の構成は、ダミー光源（１０６）と同様に構成し、ダミー光源（２０６）で使用する波長が、ダミー光源（１０６）で使用する波長と異なるだけとなる。
【００７３】
＜波長多重伝送装置における処理動作＞
次に、図４〜図７を参照しながら、本実施例の波長多重伝送装置における処理動作について説明する。なお、図４〜図７では、波長増設時の装置出力スペクトルについて、横軸を波長［ｎｍ］、縦軸をパワー［ｍＷ］として模式的に示す。
【００７４】
なお、本実施例では、波長帯１、波長帯２の最大波長数を８波とし、合計１６波のモデルとする。図４は、波長帯１、波長帯２の信号光が増設されていない初期構成で、ダミー光（ＣＷ光）のみが光合波・分岐器（１０３）に挿入されている状態を示す。
【００７５】
図４に示す初期構成で決定された波長帯１、波長帯２のそれぞれのダミー光の出力パワー値は、今後、波長帯１、２に波長が増設された際の信号光とダミー光との合波光の出力パワーの目標値となり、制御回路（１０５）は、図４に示すダミー光の出力パワー値となるように、ダミー光源（１０６）のフィードバック制御を行うことになる。
【００７６】
図５は、波長帯１に４波長増設された状態を示す。図５に示す状態の場合、光増幅器（１０２）からの出力パワー値は、図４に示す初期構成で決定されたダミー光の出力パワー値の半分を目標値とする。
【００７７】
例えば、１波目を増設する際は、光増幅器（１０２）から出力される信号光の出力パワーが、ダミー光のパワー値の８分の１となるように光送信器（１１）の出力を調整することになる。また、２波目を増設する際は、光増幅器（１０２）の信号光の出力パワーが、ダミー光のパワー値の４分の１となるように光送信器（１１〜１２）の出力を調整することになる。
【００７８】
同様に、３波目を増設する際は、光増幅器（１０２）の信号光の出力パワーが、ダミー光のパワー値の８分の３となるように光送信器（１１〜１３）の出力を調整することになる。また、４波目を増設する際は、光増幅器（１０２）の信号光の出力パワーが、ダミー光のパワー値の２分の１となるように光送信器（１１〜１４）の出力を調整することになる。
【００７９】
なお、上述した光送信器（１１〜１ｎ）の出力調整は、光増幅器（１０２）の信号光の出力パワーをモニタリングし、そのモニタリングした出力パワーが上記条件を満たすように、光送信器（１１〜１ｎ）から出力する信号光の出力パワーをフィードバック制御し、光送信器（１１〜１ｎ）の出力調整を自動調整することになる。
【００８０】
また、光増幅器（１０２）の信号光の出力パワーが、上記条件を満たすように、人手操作により、光送信器（１１〜１ｎ）の出力を調整するように構築することも可能である。
【００８１】
なお、図５では、最大８波長のうち４波長増設されたため、ダミー光の出力パワー値が半分となる。このとき、波長帯２のダミー光のパワーに変化はない。
【００８２】
図６は、波長帯１に７波長増設された状態を示す。なお、波長増設は、図５と同様に行うことになる。
【００８３】
図６では、最大８波長のうち７波長増設されたため、ダミー光の出力パワー値が８分の１となる。このとき、波長帯２のダミー光のパワーに変化はない。
【００８４】
図７は、波長帯１に８波長増設された状態を示す。
【００８５】
なお、波長帯１に８波目を増設する際は、ダミー光の波長と同じとなるため、まず、ダミー光の出力を停止する。その後、波長帯１に８波目を増設する。
【００８６】
なお、ダミー光の出力を停止した場合、波長帯１のトータルパワーは、ダミー光を停止した分だけ低下することになるが、その低下した出力パワー値は、波長帯１のトータルパワーの８分の１であり、装置出力のトータルパワーを考えてみても、１６分の１と微々たるものである。
【００８７】
通常、システム設計時は、変動マージンも含んで設計されるため、ダミー光の出力を停止しても、信号品質に影響するものではない。
【００８８】
このため、上述したように、ダミー光の出力を停止した後に、波長帯１に８波目を増設することが可能となる。なお、このとき、波長帯２のダミー光のパワーに変化はない。
【００８９】
このように、本実施例の波長多重伝送装置は、各分割波長帯（波長帯１、波長帯２）に、その分割波長帯（波長帯１、波長帯２）の信号光の波長グリッドに載った単一のＣＷ光を出力するダミー光源（１０６、２０６）を配置する。そして、分割波長帯（波長帯１、波長帯２）の信号光と、ダミー光源（１０６、２０６）のＣＷ光と、を合波した後の合波光のトータルパワーが一定となるように、ダミー光源（１０６、２０６）のＣＷ光の出力パワーをフィードバック制御する。
【００９０】
これにより、本実施例の波長多重伝送装置は、波長増設時のダミー光源（１０６、２０６）のＣＷ光の出力パワーの調整を容易に行うことが可能となる。また、各分割波長帯のトータルパワーの出力変動を抑止することが可能となり、その結果、全波長帯のトータルパワーの出力変動を抑止することが可能となる。
【００９１】
また、本実施例の波長多重伝送装置は、分割波長帯（波長帯１、波長帯２）毎に、ダミー光源（１０６、２０６）のＣＷ光の出力パワーの調整を行っているため、全波長帯でパワーが均等配分され、利得プロファイルの変動を抑止することが可能となり、その結果、どの波長帯からでも波長増設を行うことが可能となる。
【００９２】
（第２の実施例）
次に、第２の実施例について説明する。
【００９３】
第１の実施例の波長多重伝送装置は、波長帯１に８波目を増設する際は、ダミー光の出力を停止し、その後、波長帯１に８波目を増設することにした。
【００９４】
第２の実施例の波長多重伝送装置は、波長帯１に８波目を増設する際に、ダミー光の光を出力させたまま、その波長帯１に増設する８波目の信号光のパワーを段階的に増加させるように制御することを特徴とする。
【００９５】
これにより、上述した第１の実施例の制御回路（１０５）のフィードバック制御により、ダミー光源（１０６）から出力するダミー光の出力パワーは、８波目の信号光のパワーに応じて段階的に減少することになるため、ダミー光を停止させずに、波長帯１に８波目を増設することが可能となる。その結果、波長帯１のトータルパワーを変動させずに、波長帯１に８波目を増設することが可能となる。
【００９６】
なお、本実施例の場合は、８波目の信号光が規定出力に達し、波長帯１のトータルパワーが規定出力に達した場合に、ダミー光を停止するように制御することになる。
【００９７】
なお、上述する実施例は、本発明の好適な実施例であり、上記実施例のみに本発明の範囲を限定するものではなく、本発明の要旨を逸脱しない範囲において当業者が上記実施例の修正や代用を行い、種々の変更を施した形態を構築することが可能である。
【００９８】
例えば、上述した実施例におけるダミー光源（１０６）から出力するダミー光は、ＣＷ光（無変調レーザ光）としたが、ダミー光源（１０６）に変調信号を与えることで、ダミー光源（１０６）を信号光光源として流用することも可能である。
【００９９】
例えば、上述した実施例において、波長帯１に８波目を増設した後は、ダミー光源（１０６）が不要となるため、そのダミー光源（１０６）に変調信号を与え、ダミー光源（１０６）を、波長帯２の波長増設時に流用することも可能である。
【０１００】
また、上述した実施例における波長多重伝送装置を構成する各装置における制御動作は、ハードウェア、または、ソフトウェア、あるいは、両者の複合構成によって実行することも可能である。
【０１０１】
なお、ソフトウェアによる処理を実行する場合には、処理シーケンスを記録したプログラムを、専用のハードウェアに組み込まれているコンピュータ内のメモリにインストールして実行させるか、あるいは、各種処理が実行可能な汎用コンピュータにプログラムをインストールして実行させることが可能である。
【０１０２】
例えば、プログラムは、記録媒体としてのハードディスクやＲＯＭ（Read Only Memory）に予め記録しておくことが可能である。あるいは、プログラムは、フロッピー（登録商標）ディスク、ＣＤ−ＲＯＭ（Compact Disc Read Only Memory），ＭＯ（Magneto optical）ディスク，ＤＶＤ（Digital Versatile Disc)、磁気ディスク、半導体メモリなどのリムーバブル記録媒体に、一時的、あるいは、永続的に格納（記録）しておくことが可能である。このようなリムーバブル記録媒体は、いわゆるパッケージソフトウエアとして提供することが可能である。
【０１０３】
なお、プログラムは、上述したようなリムーバブル記録媒体からコンピュータにインストールする他、ダウンロードサイトから、コンピュータに無線転送したり、ＬＡＮ（Local Area Network）、インターネットといったネットワークを介して、コンピュータに有線で転送したりし、コンピュータでは、転送されてきたプログラムを受信し、内蔵するハードディスク等の記録媒体にインストールすることが可能である。
【０１０４】
また、上記実施例で説明した処理動作に従って時系列的に実行されるのみならず、処理を実行する装置の処理能力、あるいは、必要に応じて並列的にあるいは個別に実行するように構築することも可能である。
【０１０５】
また、上記実施例で説明した波長多重伝送装置は、複数の装置の論理的集合構成にしたり、各構成の装置が同一筐体内に存在する構成にしたりするように構築することも可能である。
【産業上の利用可能性】
【０１０６】
本発明にかかる波長多重伝送装置、制御方法及び制御プログラムは、波長を増設することが可能な波長多重伝送装置に適用可能である。
【図面の簡単な説明】
【０１０７】
【図１】本実施例の波長多重伝送装置の構成を示す図である。
【図２】本実施例の波長多重伝送装置を構成する制御回路（１０５）の内部構成を示す図である。
【図３】本実施例の波長多重伝送装置を構成するダミー光源（１０６）の内部構成を示す図である。
【図４】本実施例の波長多重伝送装置における処理動作を説明するための第１の図であり、波長帯１、波長帯２の信号光が増設されていない初期構成で、ダミー光（ＣＷ光）のみが光合波・分岐器（１０３）に挿入されている状態を示す。
【図５】本実施例の波長多重伝送装置における処理動作を説明するための第２の図であり、波長帯１に４波長増設された状態を示す。
【図６】本実施例の波長多重伝送装置における処理動作を説明するための第３の図であり、波長帯１に７波長増設された状態を示す。
【図７】本実施例の波長多重伝送装置における処理動作を説明するための第４の図であり、波長帯１に８波長増設された状態を示す。
【図８】本発明と関連する波長多重伝送装置の第１の構成を示す図である。
【図９】本発明と関連する波長多重伝送装置の第２の構成を示す図である。
【符号の説明】
【０１０８】
１００    波長帯１
２００    波長帯２
１１〜１ｎ，２１〜２ｎ    光送信器
１０１，２０１    光合波器
１０２，２０２    光増幅器
１０３，２０３    光合波・分岐器
１０４，２０４    受光素子
１０５，２０５    制御回路
１０６，２０６    ダミー光源
３０１    光合波器
１１６    ＬＤ
１２６    出力調整器
１３６    メモリ
１４６    パワー換算回路
【図１】
2008306677.tif 000003
【図２】
2008306677.tif 000004
【図３】
2008306677.tif 000005
【図４】
2008306677.tif 000006
【図５】
2008306677.tif 000007
【図６】
2008306677.tif 000008
【図７】
2008306677.tif 000009
【図８】
2008306677.tif 000010
【図９】
2008306677.tif 000011